【事件の表示】
　平成　９年特許願第２６５４６３号「使い捨ておむつ」拒絶査定不服審判事件〔平成１１年　４月１３日出願公開、特開平１１−　９９１７３〕について、次のとおり審決する。
【結　論】
　本件審判の請求は、成り立たない。
【理　由】
１．手続の経緯・本願発明
　本願は、平成９年９月３０日の出願であって、その請求項１に係る発明は、平成１８年３月２２日付で補正された特許請求の範囲の請求項１に記載された以下の事項により特定されるものである（以下、「本願発明」という。）。
「透液性表面シートと、不透液性裏面シートと、これら両シート間に介在する吸液性コアとからなり、前後の長手方向において前胴周り域と、後胴周り域と、これら両域間に位置する股下域とを有しており、前記後胴周り域の側縁部から側方へ延出しているウイング部が前記前胴周り域の外面に着脱可能に形成されている開放型の使い捨ておむつであって、
　前記股下域および後胴周り域の少なくともいずれか一方において、前記おむつの幅方向を二分する中心線Ｃ−Ｃに関して対称をなし、前記中心線Ｃ−Ｃに並行して長く延びる所要部位において前記コアが欠除して前記表裏面シートが互いに当接して形成されていて、前記欠除した部位を案内にして前記欠除した部位の内側に位置する部分上に前記欠除した部位の外側が円弧状に曲がって重なっておむつ内方へ凸となるように折曲可能に形成されており、前記部位に対応する裏面シートの外面とその近傍には、前記部位をおむつ内方へ折曲したときに互いに当接する裏面シートどうしを接合するための手段が形成されており、前記接合するための手段がメカニカルファスナの雄部材と雌部材である前記おむつ。」
　
２．引用文献
　これに対して、当審で通知した拒絶の理由に引用された、本件出願前に頒布された刊行物である、「特開平９−８４８１６号公報（公開日：平成９年３月３１日、以下「引用文献１」という。）」には、以下の事項が図面とともに記載されている。
（イ）「不織布からなる表面材と、該表面材の内面に重合して備えた吸収紙と、表面材と吸収紙との間に介在配備した綿状パルプからなる吸水材とで股当部の前後に腹当ての前部と、背当ての背部とを構成した紙おむつにおいて、該紙おむつの前部から股当部を経て背部に沿って吸収材からなる横漏れ防止突条を一対間隔をあけて平行に肌当面に着脱自在或いは折曲重合突設して各突条間に空間部を区画形成したことを特徴とする紙おむつ。」（【特許請求の範囲】【請求項１】）
（ロ）「前記横漏れ防止突条が、吸水材を含むシート素材を水平方向に折り返し折曲げ成形されている請求項１記載の紙おむつ。」（同【請求項４】）
（ハ）「本発明の実施例を図１乃至図４のパンツ型紙おむつの例で説明すると、…（中略）…この場合、表面材１には必要に応じて、ポリエチレンフィルムなどの防水材９を単独または組合せて用いその表面材１の内面側に綿状パルプ，吸収紙２その他高分子吸水材からなる吸水材３を重合装着して前部１１、股当部１２及び背部１３を成形した紙おむつ１０を構成するのがよい。」（段落番号【０００６】【実施例】の記載参照）
（ニ）「図５の例では、前記横漏れ防止突条４が、…（中略）…折曲部位を紙おむつの外側にして粘着テープ、或いは布製ファスナーなどの接着層６で着脱自在に対向配備してあって」（段落番号【０００９】の記載参照）
（ホ）「図７及び図８の例では、紙おむつ１０の前部１１から股当部１２を経て背部１３にわたり、吸水材３を含むシート素材を水平方向或いは垂直方向に折り返えし折曲げて突条４とし、該突条４を平行に間隔をあけて一対設けてあり、……　この場合、前記突条４の構成には芯材で厚さを調整することができるが、隙間１４を形成しつつ水平方向に一つの折り返しのもの（図８ａ）に限らず、……この折曲げ部分を全長にわたり接着するか、部分的に接着する、例えば両端部位のみを接着することなどで型崩れを防ぐ配慮がなされている。」（段落番号【００１２】の記載参照）
（ヘ）「本発明は…（中略）…おむつを装着したとき、盛り上っている突条部が肌に押し付けられて尻に密着し身体を横向きに替えても汚水，汚物の横漏れを防ぐことができると共に、おむつと肌面との間に空間部が常にできるので、むれや床づれがなくドライ状態で安全に用いられ、さらに汚物量の多い場合でも空間部があって余裕があり、横もれなど確実にガードし、しかも身体にあわせて調節することもできるのできわめて便利であり、取扱い容易で信頼性の高い紙おむつとすることができ、快適な状態を維持し安心して用いられるものである。」（段落番号【００１４】【発明の効果】の記載参照）
（ト）【図７】には、表面材１、吸収紙２とそれらの間に介在する吸水材３とからなり、長手方向に前部１１及び背部１３とそれらの間に位置する股当部１２を有し、背部側縁部から側方に延出している腹当部１５に接合テープ１６１を備え、前部１１、股当部１２及び背部１３を含む長さ方向に、おむつの長さ方向中心線に対し、対称をなし平行に長く延びる突状４が、吸水材３を含むシート素材を水平方向に折り返しおむつ内方に凸となるように折曲げて形成されている開放型のおむつが記載されており、【図８】（ａ）には、【図７】のＢ−Ｂ線における断面図として、上記折曲部位の外側に位置する、吸水材３を含む部分が、上記折曲部位の内側に位置する部分上に重なって、その外側には重ならない部分を有し、上記重なり部分において表面材１どうしが接着されている態様が記載されている。
　以上の記載から、引用文献１には、【図７】及び【図８】に示された実施例によって、
　吸収紙２と、表面材１と、これらの間に介在する吸水材３とからなり、長手方向に前部１１と背部１３とこれらの間に位置する股当部１２を有しており、背部側縁部から側方に延出している腹当部１５に接合テープ１６１を備えた開放型の紙おむつであって、前部１１、股当部１２及び背部１３を含む長さ方向に、該長さ方向中心線に対し、対称をなし平行して長く延びる突状４が、吸水材３を含むシート素材を水平方向に折り返し、おむつ内方へ凸となるように折曲げて形成され、該折り曲げ部位において表面材どうしを接着する手段が設けられている紙おむつ
の発明（以下、「引用発明」という。）が記載されている。
　
　また、同じく引用され、本件出願前に頒布された刊行物である、「実願昭６３−１６４２７５号（実開平２−８４６２３号）のマイクロフィルム（以下、「引用文献２」という。）」には、
　液透過性の表面層と液不透過性の防漏層との間に吸収層を介在した使い捨ておむつの吸収層に吸収性素材の存在しない分割部を長さ方向に形成し、この分割部において表面層と防漏層を止着固定することによって、吸収層を該分割部で容易に折曲できるようにしたこと
が図面とともに示されている（実用新案登録請求の範囲及び明細書第４頁１６〜２０行の記載並びに第１、２、８図等参照）。
　
３．対比
　本願発明と上記引用発明とを対比する。
　使い捨ておむつの周知技術に鑑みれば、引用発明の「紙おむつ」「吸収紙２」「表面材１」「吸収材３」「前部１１」「背部１３」「股当部１２」及び「腹当て部１５」は、それぞれ、本願発明の「使い捨ておむつ」「透液性表面シート」「不透液性裏面シート」「吸液性コア」「前胴周り域」「後胴周り域」「股下域」「ウイング部」に相当し、引用発明の腹当て部１５は接合テープ１６１によって前部１１の外面に係合されることは明らかであり、引用発明の折曲部位において、吸収材３を含むシート素材の折曲による重なり部分は、おむつ内方に凸となり突状を構成し、その外方の重ならない部分は下方に円弧状に湾曲するものと認められる。
　してみれば、両者は、「透液性表面シートと、不透液性裏面シートと、これら両シート間に介在する吸液性コアとからなり、前後の長手方向において前胴周り域と、後胴周り域と、これら両域間に位置する股下域とを有しており、前記後胴周り域の側縁部から側方へ延出しているウイング部が前記前胴周り域の外面に係合するように形成されている開放型の使い捨ておむつであって、前記股下域および後胴周り域の少なくともいずれか一方において、前記おむつの幅方向を二分する中心線に関して対称をなし、前記中心線に並行して長く延びる所要部位において、コアを含むシート素材が、折曲されており、該折曲部位の外側部分が、内側の部分上に外方が円弧状に曲がって重なっておむつ内方へ凸となるように形成されており、該重なり部分に対応する裏面シートに互いに当接する裏面シートどうしを接合するための手段を備えたおむつ」である点で一致しており、以下の点で一応の相違がある。
[相違点１］
　本願発明において、ウイング部が前胴周り域の外面に着脱可能に形成されていると特定されているのに対し、引用発明において腹当て部１５の前部１１の外面への係合が着脱自在とはされていない点
［相違点２］
　本願発明において、吸水性コアが、中心線Ｃ−Ｃに並行して長く延びる所要部位において欠除して、表裏面シートが互いに当接して形成されていて、該欠除した部位を案内にして、おむつが折曲されているのに対し、引用発明においては、シート素材を折曲する部位において吸収材を欠除した部分が存在しない点
［相違点３］
　本願発明において、裏面シートどうしを接合するための手段が「メカニカルファスナの雄部材と雌部材」と特定しているのに対し、引用発明では、表面材どうしは「接着」とされている点
　
４．判断
　そこで、上記の相違点について検討する。
［相違点１］について
　一般に、本願発明及び引用発明のような開放型の使い捨ておむつにおいて、後胴周り域の側縁部から側方へ延出しているウイング部と前胴周り域の外面との係合を「着脱可能」にすることは、本願出願前周知慣用の技術的事項であり、引用発明における腹当部を前部外面に着脱可能に係合するように形成することは、当業者が適宜なし得る設計的事項であり格別の技術的意義はない。
［相違点２］について
　一般に、所定の厚みのあるシート状素材を折曲する場合、折曲部に薄肉部を形成し、該薄肉部を案内として厚いシート状素材を折曲可能とすることは、各種の分野において本願出願前周知慣用の技術的事項であるところ、上記引用文献２には、本願発明及び引用発明と同様の透液性表面シートと、不透液性裏面シートと、これら両シート間に介在する吸液性コアとからなる、従来周知の開放型使い捨ておむつにおいて、吸液性コアが存在せず、表裏面シートが互いに当接した分割部を長さ方向に形成し、この分割部を案内として、おむつを折曲可能とすることが、記載されているので、吸液性コアの存在しない（薄肉の）部位を案内部とする折曲手段を引用発明に適用し、当該部位の吸水材に長さ方向に並行した欠除部を形成し、表面材と吸収紙を接合するようにすることも当業者が容易になし得る程度の事項である。
［相違点３］について
　シート状素材の着脱自在な接合手段として、「メカニカルファスナの雄部材と雌部材」は、本願出願前周知慣用の技術的手段であり、使い捨ておむつの分野においても、上記引用文献１の摘示記載（ニ）の「粘着テープ、或いは布製ファスナーなどの接着層６で着脱自在に」と、雄部材と雌部材からなるメカニカルファスナの典型である布製ファスナーが粘着テープと同等のものとして着脱自在な接合手段に採用されることが示されていることからみて、引用発明における表面材どうしの接合手段を、本願出願前周知の「メカニカルファスナの雄部材と雌部材」とすることは当業者が容易になし得る事項であり、その際、該接合手段の属性である「着脱自在」の機能により、奏せられる効果も当業者が容易に予測しうる範囲内のものであるので、この点にも格別の技術的意義は認められない。
　
　そして、本願発明が、引用文献１、２に記載された発明及び周知の技術から予測される以上の格別の効果を奏するものとは認められない。
　
５．まとめ
　以上のとおりであるから、本願発明は、本願出願前周知の技術的事項を勘案すれば、引用文献１及び２に記載された発明に基づいて当業者が容易に発明をすることができたものと認められるので、特許法第２９条第２項の規定により特許を受けることができない。
　よって、結論のとおり審決する。